(57)【要約】      （修正有）【課題】片面ダンボールの折曲げの困難性を除去し、段の列方向に交差する方向へ折り曲げ或いは折り込むことを可能とするとともに更にその折り曲げや折り込みをより容易に行える片面ダンボールの加工紙を提供する。【解決手段】ライナ紙と段繰りを有する段繰り紙２とを接着部材で貼着した片面ダンボールの加工紙であり、段繰り紙の並列成形されている多数列の段２０の突出部分に押し込み部３を形成し、該押し込み部により段繰り紙２の突出列に交差する方向への折り込み又は折り曲げを可能とする片面ダンボールの加工紙からなる。【選択図】図３
0003188378.tif 000002
【実用新案登録請求の範囲】
【請求項１】
ライナ紙1 と段繰りを有する段繰り紙２とを接着部材で貼着した片面ダンボールの加工紙であって、
該段繰り紙２の並列成形されている多数列の段２０の突出部分に押し込み部３を形成し、
該押し込み部３により段繰り紙２の突出列に交差する方向への折り込み又は折り曲げを可能とすることを特徴とする片面ダンボールの加工紙。
【請求項２】
ライナ紙１と段繰りを有する段繰り紙２とを接着部材で貼着した片面ダンボールの加工紙であって、
該段繰り紙２の並列成形されている多数列の段２０の突出部分に押し込み部３を形成し、
該押し込み部３を少なくとも多数列の段２０の突出列に交差する方向に列状に形成し、
該押し込み部３により段繰り紙２の突出列に交差する方向への折り込み又は折り曲げを可能とすることを特徴とする片面ダンボールの加工紙。
【請求項３】
ライナ紙１と段繰りを有する段繰り紙２とを接着部材で貼着した片面ダンボールの加工紙であって、
該段繰り紙２の並列成形されている多数列の段２０の突出部分に多数列並列に形成した押し込み部３を有することを特徴とする片面ダンボールの加工紙。
【請求項４】
ライナ紙１と段繰りを有する段繰り紙２とを接着部材で貼着した片面ダンボールの加工紙であって、
該段繰り紙２の並列成形されている多数列の段２０の突出部分に少なくとも二方向以上に形成した多数列の押し込み部３を有することを特徴とする請求項１乃至３のいずれかに記載の片面ダンボールの加工紙。
【請求項５】
押し込み部３は段繰り紙２の段２０の突出部分にへこみを設け、該凹み３０部分に折り込み部分を形成することにより段２０の突出部分を折り込み又は折り曲げることができる押し込み部３を形成するものであることを特徴とする請求項１乃至３のいずれかに記載の片面ダンボールの加工紙。
【考案の詳細な説明】
【技術分野】
【０００１】
本考案は、任意方向へ折り込み又は折り曲げることのできる片面ダンボールの加工紙に関する。
【背景技術】
【０００２】
片面ダンボールはライナ紙と段繰りされる波状の段繰り紙とを接着部材で貼着して構成するものであり、段繰りの突出の列とライナ紙に貼着している平面部分とが交互に形成されてなるものである。
【０００３】
これは、この段の部分の存在により空気層を形成でき、外部からの衝撃を吸収できることとなり、商品の該面を覆う包装として多用されているものである。
従って、包装のために商品を包み込むこと或いは容器として用いられること等が要請される。
【０００４】
その製造装置としては特開平５−２４１３７号（特許文献１）に示す製造装置や特開平６−２９７６１４号（特許文献２）に示す製造装置が存在する。
これらはそれぞれロール紙から引き出して、波状のローラによって段繰り状とした上でライナ紙に貼着することによって製造するものである。
【０００５】
更に、該片面段ボール紙を製造し、更に容器に成形する方法として特表平１０−５０２５８５号（特許文献３）が存在する。
又、食品収納用パッケージに用いるように形成した実用新案登録第２５９６０２５号（特許文献４）が存在する。
【０００６】
更には片面ダンボールシートを素材として製造する容器及びその製造方法である特開２００６−１１７２７６号（特許文献５）も存在する。
これらは、各々片面ダンボールを製造し、この片面ダンボールシートよりなる加工紙を用いて具体的容器に形成するための各種先行技術である。
【特許文献１】特開平５−２４１３７号
【特許文献２】特開平６−２９７６１４号
【特許文献３】特表平１０−５０２５８５号
【特許文献４】実用新案登録第２５９６０２５号
【特許文献５】特開２００６−１１７２７６号
【考案の開示】
【考案が解決しようとする課題】
【０００７】
以上の様に、現在片面ダンボールは製造されているものであり多面に活用されているものである。
特にその段繰り部の空気層によるクッション性や断熱性に着目して片面ダンボールを用いた加工紙によって包装や容器として多様に用いられている。
【０００８】
この場合、段繰り部分における並列して形成される段の部分は、一定の規格に従って製造されるものであり、ＪＩＳ規格によれば段の数等によって区別されている。
例えば外装用等の段ボールなどに関してはそれぞれ一定の基準を元に製造されているものである。
【０００９】
これらに従って片面ダンボールが製造されるが、この製造されたダンボールは特許文献３乃至５に示す通り容器として成形されるものも多数存在する。
この容器の製造に際して、片面ダンボールシートを用いることから、該ダンボールの段繰りが一定方向にそろって段形状を構成するものとなり、段の列に沿って折り曲げることや折り込むことは平面を折り込み等することから容易に行えるものである。
【００１０】
従って容器成型や包装に際してはこのことを前提としてその段の列に沿った折り込みや折り曲げを行って用いているものである。
反面、該段繰りの波状の段に対向する方向に対しては極めて曲がりにくい性質を有するものであり、該方向に折り曲げ又は折り込むことはできないものである。
【００１１】
即ち反面段繰りの波状の段に平行方向に折り曲げ又は折り込むことは、突出列からなる段の部分に交差した方向への折り曲げや折り込むこととなり、その突出段部分の存在により強度が高くなることから折り曲げることや折り込みことが非常に困難となるものであった。
従って、該段の部分に対向方向に折り曲げるには、該段上部分を削除するか押しつぶして段形状をなくすことが必要となる。
【００１２】
係るために、特許文献３においては型押しダイによってプレスして屈曲部分を押しつぶして成形するものであり、強力なプレス成形によって該容器を製造することが必要であった。
この他特許文献４又は５に示すように、折り曲げが必要な部分を切断又は罫線を入れることが必要であった。
従って、容器の成形時において明確な角部を有する容器の成形においては、その部分を切断又は段部分の切断或いは押し潰しなどによって線状に折り曲げ部を 確保することが必要であり、容器製造時にそれぞれに適合する機器が必要となるものであった。
【００１３】
このことは予定していない片面ダンボールを包装時等に折り曲げや折り込みを行う場合にはきれいな折り曲げや折り込みが行えず、直線状の折り曲げなどでも曲がってしまう等の弊害がでると共に形の崩れた折り曲げなどになってしまうものである。
従って段繰りの段の列に沿って折り曲げることや折り込むことは可能であるが、これ以外の方向への折り込み等は困難性を伴うと共に折り込み等のきれいにかつ旨く行うことのできないものとならざるを得ないものである。
【００１４】
したがって、例えば商品の包装に断熱性や耐衝撃性を有する片面ダンボールシートを用いた加工紙を用いることができにくくなるものである。
このことからこの様な弊害をなくし、各種の方向に折り込み又は折り曲げが簡単に行えると共にこの折り込み等の後の包装形状等においてもきれいな包装を可能とする片面ダンボールの加工紙の提供が望まれていた。
【００１５】
更に折り込み等の方向も一の方向のみではなく多種類に任意方向に折り曲げが可能な片面段ボールを用いた加工紙の提供が望まれるものである。
このことにより片面ダンボールを用いた加工紙を多様な包装材などとして用いることができるものとなり、この段繰り紙の凹凸形状によって、その片面ダンボールを表出した面に特殊な外観を表出させることができると共に、その凹凸部分によって例えば滑りにくさを出すなどの各種利点を発揮できるものとなる。
【００１６】
したがって、この様な利点を多数有する片面ダンボールの、その折り曲げの困難性を除去した何らかの片面ダンボールの加工紙の提供が望まれるものである。
【課題を解決するための手段】
【００１７】
係るため本考案に係る請求項１記載の考案は、ライナ紙と段繰りを有する段繰り紙とを接着部材で貼着した片面ダンボールの加工紙であって、該段繰り紙の並列成形されている多数列の段の突出部分に押し込み部を形成し、該押し込み部により段繰り紙の突出列に交差する方向への折り込み又は折り曲げを可能とする片面ダンボールの加工紙からなり、係る考案によって本課題を解決できる。
【００１８】
又、請求項２に係る考案はライナ紙と段繰りを有する段繰り紙とを接着部材で貼着した片面ダンボールの加工紙であって、該段繰り紙の並列成形されている多数列の段の突出部分に、押し込み部を形成し、該押し込み部を少なくとも多数列の段の突出列に交差する方向に列状に形成し、該押し込み部により段繰り紙の突出列に交差する方向への折り込み又は折り曲げを可能とする片面ダンボールの加工紙からなり、係る考案を用いてもよい。
【００１９】
更に、請求項３に係る考案は、ライナ紙と段繰りを有する段繰り紙とを接着部材で貼着した片面ダンボールの加工紙であって、該段繰り紙の並列成形されている多数列の段の突出部分に多数列並列に形成した押し込み部を有する片面ダンボールの加工紙からなるものであり、係る考案を用いてもよい。
又、請求項４に係る考案は、ライナ紙と段繰りを有する段繰り紙とを接着部材で貼着した片面ダンボールの加工紙であって、該段繰り紙の並列成形されている多数列の段の突出部分に少なくとも二方向以上に形成した多数列の押し込み部を有する片面ダンボールの加工紙であり、係る考案であってもよい。
【００２０】
更に、請求項５に係る考案は、押し込み部には段繰り紙の段の突出部に凹みを設け、該凹み部分に折り込み部分を形成することにより段の突出部分を折り込み又は折り曲げることができる押し込み部である片面ダンボールの加工紙を用いてもよい。
【考案の効果】
【００２１】
以上のように構成したことからまず請求項１に係る考案によって、段繰りを有するダンボール紙の利点を有した上で、任意形状に折り曲げ或いは折り込むことができ、片面ダンボールの加工紙を種々の場所や用途に用いることが可能となる。
従って、従来の片面ダンボールが段繰りの段の突出列の方向に平行であって段の突出列間の平面状のライナ紙の部分における折り込みや折り曲げが可能であったのに対して、この段の部分と平行への折り込みや折り曲げ以外の突出列に対して交差する方向においての折り込みや折り曲げをも可能とするものである。
【００２２】
特に突出列の部分に交差する方向への折り曲げは、この突出部分の存在から交差方向へ曲げにくく、特に折り曲げなどを行うに際してはこの突出している列部分を途中から折り曲げることが必要となるものである。
しかし、突出部分によってリブ状となり、芯部分としての骨格を構成するものとなるものであって、その部分での折り曲げには多大な力が掛かることとなる。
【００２３】
従って、所望の任意個所の一点に力をかけても、その部分からずれて横方向等の予期しない場所が折れ曲がることやそのまわり全体がつぶれた状態で折れてしまうこと等が発生してしまうものとなる。
これらのことより片面ダンボールを用いて任意形状に折り込みことは極めて難しいものであったものであるが、本考案によって任意方向に簡単にかつきれいに折り曲げ又は折り込みことを可能とするものとなる。
【００２４】
或いは請求項２又は請求項３に係る考案によれば多数列有することから折り曲げ箇所や折り込み箇所を多数列に合わせて任意箇所で行なうことができるものとなり、曲面や傾斜面、或いは特殊な形状に折り曲げ折り込み事ができると共にその形状もきれいに行なうことができるものである。
【００２５】
請求項４に係る考案によれば少なくとも２方向の押し込み部の列を有することから、一の片面ダンボールの加工紙において２方向への折り込みを可能とするものとなり、折り込み又折り曲げ体方向を予め複数設定することができるものとなる。
従って、使い勝手の良い片面ダンボールの加工紙の提供を可能とする。
【００２６】
請求項５に係る考案により、押し込み部には段繰り紙の段の突出部に凹みを設け、該凹み部分に折り込み部分を形成することにより段の突出部分を折り込み又は折り曲げることができる押し込み部である片面ダンボールの加工紙を用いることができ、押し込み部分には突出した段繰り紙の段繰り部分が押し込まれることとなると共に押し込み部には折り込み部分を有するものとなる。
【００２７】
この折り込み部分は紙が折り込まれていることからその部分には腰がなく又その折り込み部分が片面ダンボールの加工紙自体を折り曲げ又は折り込みことができるものとなる。
従って押し込み部分での折り曲げや折り返し、折り込み等を容易に行えるものとなる。
【考案を実施するための最良の形態】
【００２８】
図1は、本考案にかかる基本的な片面ダンボールの加工紙の一例を示す図である。
本図に示す通り、ライナ紙１と段繰りされる波状の段繰り紙２とを接着部材で貼着した片面ダンボールよりなるものであるが、更に該段繰り紙の並列成形されている段に対向する方向に押し込み部３を有する。
【００２９】
該押し込み部３は、多数並列して形成される段部分２０と同様に、多数並列状態で形成されているものである。
この押し込み部３は、段２０の弧状の凸状部分に凹み３０を有する様に形成されたものであり、段２０部分を全てつぶしてしまうものであるものの他、凹みを有するものであってもよい。
【００３０】
例えば突出した段２０部分の高さをなくす程度つぶすものの他、その突出高の３分の１乃至３分の２程度の凹み３０を有するものであってもよい。
この様に構成することによって、段繰り２の段２０部分の折り曲げに抵抗する強度に対してこの強度の腰をなくし、折り込み又は折り曲げをしやすくするものであり、細かい折り込みや折曲げを可能とするばかりでなく、段２０の平行方向に対向する方向に曲線状等の特殊方向への折り込みや折り曲げ、或いは丸め込み等をも可能とするものである。
【００３１】
この他、突出部分の段２０の頂点部２０１に凹み３０をつける程度であり、その段２０の突出部分の割合に対しては極めて些少な凹み３０を有するものであってももちろんよい。
これによっても、平行に連設した凹凸形状の段繰りの強度をなくすことができる。
又、この押し込み部３の幅は任意であり、段繰り２の段２０の幅に一致するものであっても、或いはこれよりも細いものでも、或いは太いものであってもよい。
【００３２】
次に、この押し込み部３に関しては、平行に多数列形成したものであり、この間隔は一定であるものの他、その間隔が一律ではなく異なるものであってもよい。
一律でなくとも段繰り２の段２０に対向方向に対しての折り曲げ等を可能とする。
【００３３】
次に、本図においては、片面ダンボールの段２０の形成方向に対して垂直方向に押し込み部３を並列形成したものであるが、これに限らず、片面ダンボールの段２０の形成方向に対して傾斜方向に形成した加工紙を用いるものであってもよい。
【００３４】
図２は、片面ダンボールの段２０の形成方向に対して傾斜方向に押し込み部３０を形成した片面ダンボールの加工紙の一例を示す図である。
本図に示す通り、片面ダンボールの段繰りの段２０の部分に対して垂直方向ではなく一定の角度をもって交差方向の傾斜方向に押し込み部３を形成している。
従って、単に片面ダンボールの段繰りの段２０の列に対して垂直方向ばかりでなく任意方向に対して列状の押し込み部３の形成を可能とする。
【００３５】
図３は、更に段繰りの段２０の列に対して垂線方向に対する列状の押し込み部３の形成と共に更に段繰りの段２０の列に対して垂直方向ではない任意の角度をもって交差方向に列状に形成した押し込み部３を更に有し、本図上では２種類の列状の押し込み部３を形成している片面ダンボールの加工紙の一例を示す。
【００３６】
本図のように構成することにより、複数の列状の押し込み部３を形成でき、更に多種類の方向への折り込みや折り曲げを容易にすると共に丸め込む等の際にはより滑らかな曲線で丸め込むことを可能とする。 
図４は押し込み部３を複数方向に並列形成した他の一例を示す図である。
本図構成においては、押し込み部３は段繰りの段２０の部分に対して垂直方向ではなく傾斜方向に対して交差する２種類の列状の押し込み部３を形成しているものである。
【００３７】
尚、図３及び図４は、それぞれ２種類の方向に対して列状に形成した押し込み部３を有するが、２種類に限らずより多種類の列状の押し込み部３を形成するものであってももちろんよい。
従って、これらのように押し込み部３は段繰りの段２０の形成方向に対して垂直方向にだけ設けるものでなく、他の方向に対して形成したものであっても、或いは複数方向に対して押し込み部３を形成したものであってもよい。
【００３８】
これらの場合段繰りの段２０の部分に形成している押し込み部３同士の間隔は一例として一定の間隔で形成した例を図上示すが、これに限らず任意の間隔或いは異なる間隔で押し込み部３を形成するものであってもよい。
【００３９】
これにより、一列乃至多数列、更には一方向或いは多数方向に形成した列状の押し込み部３を段繰りの段２０上に形成するものであってもよい。
以上のように、押し込み部３に関しては、多数並列に形成したものを基本とするが、これに限るものではない。
【００４０】
即ち、図５に示すように平行に多数列形成された段繰り２の段２０に対して、略扇状に押し込み部３を多数列形成したものでもよい。
この場合、押し込み部３の列の一端方向の列間の間隔と、他端方向の押し込み部３の列間の間隔とは異なるものとなる。
【００４１】
図６は、片面ダンボールの段２０部分に形成した押し込み部３の断面図の一例を示す図である。
本図に示す通り、段２０の頂点部２０１が押し込み部３によって押し込まれており、段２０の腰をなくしているものである。
尚、この場合押し込み部３が段２０の頂点部２０１に対して押し込み或いは押し潰し又は折り曲げたもの或いは凹ませたもの等であればよく、これらは全て押し込み部である。
【００４２】
図７は、押し込み部３の断面図の他の例であり、段２０の頂点部２０１が押し込み部３をもって押し込められており、この押し込み部３の押し込み頂点３０１部分がライナ紙１に接する状態の一例を示す図である。
本図に示す場合には、この押し込み部３の押し込み頂点部３０１のライナ紙１との接触部分は接着部材で接着しているものではないが、必要に応じてこの押し込み部３の頂点部３０１がライナ紙１と接着しているものであってももちろんよい。
【００４３】
この様にして製造した本発明に係る片面ダンボールシートを用いた加工紙に関しては種々の使い道があり、例えば紙コップなどに応用できるものである。
この場合、段繰りの段２０の部分の頂点部に押し込み部３を形成することによって、段の列に沿った方向以外の方向、特に列状の押し込み部の列に沿った折り曲げや折り込みを簡単に行える。
【００４４】
例えば円筒状等に折り込み、折り曲げることができると共に多数の押し込み部の存在によりきれいな曲面状に折り曲げられて、コップ形状等にもきれいかつ簡単に成形できるものである。
【００４５】
従って、例えば紙コップ等のように小径であって傾斜した複雑な形状であるにもかかわらず片面ダンボールの加工紙を用いて成型できることとなる。
これによって、更には、ダンボールの特性即ち断熱性を発揮しうると共に見た目にも極めてきれいな紙コップ等の複雑な形状の提供ができる。
【００４６】
又、ダンボールの段繰り及び押し込み部３の凹み３０によって極めて滑りにくい特性をもったコップの提供が可能となる。
【図面の簡単な説明】
【００４７】
【図１】本考案に係る片面ダンボールの加工紙の一例を示す図
【図２】本考案に係る片面ダンボールの加工紙の他の一例を示す図
【図３】本考案に係る片面ダンボールの加工紙の他の一例を示す図
【図４】本考案に係る片面ダンボールの加工紙の他の一例を示す図
【図５】本考案に係る片面ダンボールの加工紙の他の一例を示す図
【図６】片面ダンボールを用いた加工紙の段２０部分に形成した押し込み部３の断面の一例を示す図
【図７】片面ダンボールを用いた加工紙の段２０部分に形成した押し込み部３の断面の他の一例を示す図
【符号の説明】
【００４８】
１    ライナ紙
２    段繰り紙
２０    段
２０１    頂点部
３    押し込み部
３０    凹み
３０１    押し込み頂点
【図１】
0003188378.tif 000003
【図２】
0003188378.tif 000004
【図３】
0003188378.tif 000005
【図４】
0003188378.tif 000006
【図５】
0003188378.tif 000007
【図６】
0003188378.tif 000008
【図７】
0003188378.tif 000009